(57)【要約】【課題】  原稿台の基準位置に、原稿を正確に載置できるようにする。【解決手段】  原稿台に載置される原稿を読み取る画像読取装置であって、原稿を押圧する圧板が開いた状態で前記原稿台を含む画像を読取り可能な領域を撮影する撮影手段と、前記撮影手段により撮影される画像を表示する表示手段と、前記原稿台に載置される原稿を読み取るために設定された基準位置の近傍で読み取るべき原稿を検出する検出手段と、前記検出手段が前記原稿を検出する前は、前記原稿台を含む画像を読取り可能な第１の領域の画像を前記表示手段に表示し、前記検出手段が前記原稿を検出した後は、前記基準位置の近傍の第２の領域を拡大した画像を前記表示手段に表示する制御手段と、を備えることを特徴とする。【選択図】  図４
2013115727.tif 000002
【特許請求の範囲】
【請求項１】
原稿台に載置される原稿を読み取る画像読取装置であって、
原稿を押圧する圧板が開いた状態で前記原稿台を含む画像を読取り可能な領域を撮影する撮影手段と、
前記撮影手段により撮影される画像を表示する表示手段と、
前記原稿台に載置される原稿を読み取るために設定された基準位置の近傍で読み取るべき原稿を検出する検出手段と、
前記検出手段が前記原稿を検出する前は、前記原稿台を含む画像を読取り可能な第１の領域の画像を前記表示手段に表示し、前記検出手段が前記原稿を検出した後は、前記基準位置の近傍の第２の領域を拡大した画像を前記表示手段に表示する制御手段と、
を備えることを特徴とする画像読取装置。
【請求項２】
前記制御手段は、前記圧板が閉じられた場合に、前記表示手段に表示する内容を前記撮影手段が撮影する画像の表示から、操作画面の表示に切り替えることを特徴とする請求項１記載の画像読取装置。
【請求項３】
前記制御手段は、前記検出手段が前記原稿を検出する前は、前記原稿台を含む画像を読取り可能な前記第１の領域を前記表示手段に表示し、前記検出手段が前記原稿を検出した後は、前記基準位置の近傍の前記第２の領域を拡大した画像および前記原稿台を含む画像を読取り可能な領域の画像を前記表示手段に表示することを特徴とする請求項１記載の画像読取装置。
【請求項４】
原稿台に載置される原稿を読み取る画像読取装置であって、
原稿を押圧する圧板が開いた状態で前記原稿台を含む画像を読取り可能な領域を撮影する第１の撮影手段と、
前記原稿台に載置される原稿を読み取るために設定された基準位置の近傍の領域を撮影する第２の撮影手段と、
前記第１の撮影手段または前記第２の撮影手段により撮影される画像を表示する表示手段と、
前記原稿台に載置される原稿を読み取るために設定された基準位置の近傍で読み取るべき原稿を検出する検出手段と、
前記検出手段が前記原稿を検出する前は、前記第１の撮影手段により撮影される前記原稿台を含む画像を読取り可能な領域の画像を前記表示手段に表示し、前記検出手段が前記原稿を検出した後は、前記第２の撮影手段により撮影される前記基準位置の近傍の領域を拡大した画像を前記表示手段に表示する制御手段と、
を備えることを特徴とする画像読取装置。
【請求項５】
原稿台に載置される原稿を読み取る画像読取装置であって、
原稿を押圧する圧板が開いた状態で前記原稿台を含む画像を読取り可能な領域を撮影する撮影手段と、
前記撮影手段により撮影される画像を表示する表示手段と、
前記撮影手段が撮影する画像から抽出される画像のパターンを解析して原稿台に載置される原稿を読み取るために設定された基準位置の近傍に読み取るべき原稿が存在するかどうかを判断する判断手段と、
基準位置の近傍に読み取るべき原稿が存在すると判断するまでは、前記原稿台を含む画像を読取り可能な領域の画像を前記表示手段に表示し、基準位置の近傍に読み取るべき原稿が存在すると判断した後は、前記基準位置の近傍の領域を拡大した画像を前記表示手段に表示する制御手段と、
を備えることを特徴とする画像読取装置。
【請求項６】
原稿台に載置される原稿を読み取る画像読取装置の制御方法であって、
原稿を押圧する圧板が開いた状態で前記原稿台を含む画像を読取り可能な領域を撮影する撮影手段と、
前記撮影手段により撮影される画像を表示手段に表示する表示工程と、
前記原稿台に載置される原稿を読み取るために設定された基準位置の近傍で読み取るべき原稿を検出する検出工程と、
前記検出工程が前記原稿を検出する前は、前記原稿台を含む画像を読取り可能な第１の領域の画像を前記表示手段に表示し、前記検出工程が前記原稿を検出した後は、前記基準位置の近傍の第２の領域を拡大した画像を前記表示手段に表示する制御工程と、
を備えることを特徴とする画像読取装置の制御方法。
【請求項７】
請求項６に記載の画像読取装置の制御方法をコンピュータに実行させることを特徴とするプログラム。
【発明の詳細な説明】
【技術分野】
【０００１】
本発明は、原稿台に載置される原稿を読み取る画像読取装置、画像読取装置の制御方法及びプログラムに関するものである。
【背景技術】
【０００２】
原稿のコピーやスキャンをする場合に、原稿読取装置を備える複合機（MFP）が利用されている。コピーする原稿の読み取り手法として、自動給紙装置（ADF：Auto Document Feeder）を用いるケースとユーザが原稿圧板を開閉して原稿台に原稿を載置するケースとがある。
【０００３】
この場合において、原稿台に原稿を載置する作業ではユーザによって作業されるため、原稿載置で基準位置に対して配置ずれが生じる可能性があり、載置時に配置位置がずれてしまうと出力画像にもずれが反映されてしまう。
【０００４】
特に、原稿台の高さよりもユーザの目線の方が低い場合、例えば車椅子を使用するユーザが車椅子に座った状態で原稿を原稿台に載置する作業をする場合、原稿台に載置された状態を確認することが困難であるため、載置時に原稿がずれてしまう可能性が高い。同様に、背の低いユーザも原稿台に適正に原稿を載置できているかを確認することが難しい場合がある。
【０００５】
このような場合において、原稿台に対して原稿を載置する際に起こりうる原稿配置ずれを防止する対策として、従来から、ミスコピーをなくすために原稿台に載置された原稿の状態を撮影して操作部に表示することが提案されている（特許文献１）。
この特許文献１では、載置された原稿に設定条件（拡大縮小など）を反映して画面に表示したり、画面に目盛を合成して表示したりすることも提案されている。
【先行技術文献】
【特許文献】
【０００６】
【特許文献１】特開２００４−２１９７２２号公報
【発明の概要】
【発明が解決しようとする課題】
【０００７】
しかしながら、ユーザが原稿を原稿台に載置する場合に、原稿の全体が表示されると、ユーザが、原稿を原稿台の載置基準点に対して正確に載置できない場合がある。また、原稿の一部を拡大して表示すると、拡大表示されている領域以外の領域の情報を、ユーザが見ることができないず、ユーザの利便性が低くなってしまう等の課題があった。
本発明は、上記の課題を解決するためになされたものである。本発明の目的は、原稿台の基準位置に、原稿を正確に載置できるようにする仕組みを提供することである。
【課題を解決するための手段】
【０００８】
上記目的を達成する本発明の画像読取装置は以下に示す構成を備える。
原稿台に載置される原稿を読み取る画像読取装置であって、原稿を押圧する圧板が開いた状態で前記原稿台を含む画像を読取り可能な領域を撮影する撮影手段と、前記撮影手段により撮影される画像を表示する表示手段と、前記原稿台に載置される原稿を読み取るために設定された基準位置の近傍で読み取るべき原稿を検出する検出手段と、前記検出手段が前記原稿を検出する前は、前記原稿台を含む画像を読取り可能な第１の領域の画像を前記表示手段に表示し、前記検出手段が前記原稿を検出した後は、前記基準位置の近傍の第２の領域を拡大した画像を前記表示手段に表示する制御手段と、を備えることを特徴とする。
【発明の効果】
【０００９】
本発明によれば、原稿台の基準位置に、原稿を正確に載置できる。
【図面の簡単な説明】
【００１０】
【図１】画像読取装置の構成を説明するブロック図である。
【図２】図１に示した画像読取装置の外観を示す斜視図である。
【図３】図１に示した撮影部の設置箇所のバリエーションを説明する斜視図である。
【図４】本実施形態を示す原稿読取装置の制御方法を説明するフローチャートである。
【図５】図１に示した表示部に表示されるＵＩ画面の一例を示す図である。
【図６】図１に示した原稿台の平面図である。
【図７】原稿読取装置の制御方法を説明するフローチャートである。
【図８】原稿読取装置の制御方法を説明するフローチャートである。
【図９】原稿読取装置の制御方法を説明するフローチャートである。
【図１０】原稿読取装置の制御方法を説明するフローチャートである。
【発明を実施するための形態】
【００１１】
次に本発明を実施するための最良の形態について図面を参照して説明する。
＜システム構成の説明＞
〔第１実施形態〕
【００１２】
図１は、本実施形態を示す画像読取装置の構成を説明するブロック図である。本例の画像読取装置は、ＡＤＦによる原稿を読み取る流し込みモードと、圧板を開閉して所定の基準位置に載置される原稿を読み取るモードとを自在に切り替えてユーザが原稿読取を設定できるように構成されている。ただし、この実施形態に記載されている構成要素等は、特に特定的な記載がない限りは、この発明の範囲をそれらのみに限定する趣旨のものではない。以下、図１を参照して本発明の第１実施形態を示すネットワークに対応する複合機（ＭＦＰ）の構成について詳細に説明する。
【００１３】
第１実施形態では、ユーザにより複合機の原稿台の圧板が開けられた場合に、制御部１０１は、後述する撮影部５００によって撮影された原稿台の状態（原稿を読み取り可能な領域全体（第１の領域）の状態）を、操作部が備える表示部に表示するよう制御する。さらに、原稿が載置基準位置から一定距離まで近づいたことを後述する原稿位置センサ３０２が検出した場合に、制御部１０１が原稿台の載置基準位置周辺（第２の領域）を拡大表示するように表示部２０２に表示する内容を切り替え制御する。
【００１４】
図１において、制御部１０１は、メモリ１０２に記憶された制御プログラムを実行して各ユニットの動作制御を行う。この制御部１０１は、ＣＰＵ（Ｃｅｎｔｒａｌ  Ｐｒｏｃｅｓｓｉｎｇ  Ｕｎｉｔ）を有している。操作部２００は、タッチパネル付きの表示部２０２を備え、各種のユーザインタフェース画面（ＵＩ画面）を表示して、ＭＦＰに対するユーザからの操作入力を受け付けたり、後述する撮影部５００が撮像した画像を表示したりするための表示部２０２を備える。操作部２００は、タッチパネルを介して受け付けたユーザの指示を、制御部１０１に伝える。
【００１５】
なお、操作部２００は、タッチパネルを備える表示部２０２の他に、ハードキーを有し、ハードキーを介してもユーザの操作を受け付ける。
【００１６】
スキャナ部３００は、原稿を読み取ることで、その原稿の画像データを生成する。
【００１７】
スキャナ部３００が原稿を読み取る方法として、ＡＤＦ４００に載置された原稿を読み取るモードと原稿台３０１に直接ユーザが所定の基準位置に対して載置した原稿を読み取るモードがある。ＡＤＦ４００は、原稿台３０１に載置された原稿を押圧して固定するための圧板としても使用される。
【００１８】
ＡＤＦ４００に載置された原稿を読み取るモードの場合、制御部１０１は、ＡＤＦ４００の原稿台に載置された原稿を１枚ずつ搬送するよう制御し、搬送された原稿を読み取る。開閉検知部４０１は、圧板が開けられているか否かを検知し、その検知信号を制御部１０１に伝える。原稿位置センサ３０２は、原稿台３０１に原稿が載置された際に、原稿が載置基準位置から一定距離まで近づいたことを検知して、その検知信号を制御部１０１に伝える。
メモリ１０２は、文書画像や撮影部５００で撮影された撮影画像、制御プログラム等を記憶する。
出力部１０５は、メモリ１０２から文書画像を読み出した後、文書画像を印刷するプリントエンジンとして機能する。
【００１９】
ＬＡＮＩ／Ｆ部１０６は、図示しないネットワークを介して情報処理装置、サーバ装置等と通信して、印刷ジョブを受信可能に構成されている。電話回線Ｉ／Ｆ部１０７は、不図示の電話回線を介して、文書画像を、外部のファクシミリ装置や他のＭＦＰとの間で送受信する。
撮影部５００は、撮像素子を備えて、原稿台３０１を撮影し、光電変換された画素情報を画像処理部１０４へ出力する。
【００２０】
画像処理部１０４は、撮影部５００で撮影した画像情報を表示部２０２に表示するための画像に変換するための画像処理を行う。例えば、画像処理部１０４は、撮影部５００で撮影された画像を、表示部２０２に表示できる形式に変換したり、画像を拡大／縮小したり、合成したりする。なお、表示部２０２は、撮像された画像を、カラー画像として、あるいはモノクロ画像として表示することが可能である。
画像切り替え部１０８は、表示部２０２に、ユーザからの操作を受け付ける操作画面を表示するか、撮影部５００によって撮影した画像を表示するかを、制御部１０１空の指示に従って切り替える。
【００２１】
また、操作部２００は、図２に示すように本体側面に、一方の端を支点として回動自在に構成されている。また、操作部２００は、所望の傾斜角度で傾斜した状態で保持できるように構成されている。
【００２２】
なお、図２の（Ａ）は、操作部２００が本体側面に水平に保持された状態を示し、図２の（Ｂ）は操作部２００が本体側の一方の端を支点として下方側に押し下げられて所定の傾斜をもって保持された状態を示す。操作部２００は、図２の（Ｂ）の状態にすることによって、画像読取装置を操作するユーザが車椅子等に座った状態であっても、操作部２００の表示部２０２を目視できる。また、操作部２００よりも目線位置が下方となるような身長が低いユーザであっても操作部２００の表示部２０２を目視できる。なお、操作部２００は、本体から着脱できるように構成したりしてもよい。さらには、表示部２０２の表示画面の情報をユーザが携帯する情報端末に転送（有線／無線を問わない）して表示できる構成としてもよい。
【００２３】
傾斜検知部２０１は、操作部２００が傾斜された状態であるのか、傾斜されていない状態であるのかを検知する。例えば、傾斜検知部２０１は、図２において、ユーザが操作部２００を、図２の（Ａ）に示す状態であるのか、図２の（Ｂ）に示す状態であるのかを検知する。また、図２の（Ａ）（Ｂ）以外の傾斜角度で操作部２００が傾斜されていることを検知してもよい。
【００２４】
図３は、図１に示した撮影部５００の設置箇所のバリエーションを説明する斜視図である。
【００２５】
図３の（Ａ）は、開閉される圧板１０００の前面側の中心部近傍に撮影部５００−１を設置し、スキャン部１００１の原稿台を撮影する場合に対応する。また、図３の（Ｂ）は、スキャン部１００１内に撮影部５００−２を設置し、原稿台を原稿台ガラスの下面側から撮影する場合に対応する。さらに、図３の（Ｃ）は、可動性のアームを本体側面側から伸ばして撮影部５００−３を設置し、原稿台を撮影する場合に対応する。なお、撮影部５００は原稿台を映し出すことが可能であれば設置場所は特に問わない。また、図３の（Ｄ）については、他の実施形態において説明する。
【００２６】
次に、ユーザが複合機の圧板１０００を開けて原稿を原稿台ガラスに載置して原稿を読み取らせる場合に、撮影部５００が原稿台３０１上に載置された原稿を撮影して、その載置状態を表示部２０２に表示する制御について説明する。
【００２７】
図４は、本実施形態を示す原稿読取装置の制御方法を説明するフローチャートである。本例は、特定のユーザが圧板１０００を開けて原稿を原稿台ガラスに載置して原稿を読み取らせる場合における原稿配置状態をガイド表示する制御に対応する。ここで、特定のユーザとしては、上述しているように車椅子等に座った状態で原稿読取装置を操作する場合であって、当該車椅子に座った状態におけるユーザの目線位置が当該原稿台よりも下面位置となってしまう場合を想定する。
【００２８】
なお、各ステップは、制御部１０１がメモリ１０２に記憶された制御プログラムを実行することにより実現される。以下、ユーザが複合機の圧板が開けた後、原稿台３０１の全体を撮影して表示部２０２に表示し、ユーザが原稿を原稿台３０１の載置基準位置に一定距離まで近づけた場合に、表示を載置基準位置周辺の拡大表示に切り替える制御について詳細に説明する。なお、載置基準位置は原稿台３０１の左上を例に挙げて説明する。
【００２９】
まず、制御部１０１は、図５の（Ａ）に一例を示す操作画面を表示部２０２に表示する（Ｓ１０１）。次に、制御部１０１は、開閉検知部４０１からの検知信号に基づいて、圧板１０００が開けられているか否かを判断する（Ｓ１０２）。なお、開閉検知部４０１には、光センサを用いたものや、圧板１０００が原稿台側に閉じられたときに自動的に押されるスイッチを用いたものなど、圧板１０００の開閉を検知することが可能であれば方法は問わない。
【００３０】
Ｓ１０２において、制御部１０１が、圧板１０００が開けられたと判断するまでは、Ｓ１０１で、表示部２０２に操作画面を表示し続ける。そして、Ｓ１０２において、圧板１０００が開けられたと判断した場合、制御部１０１は、撮影部５００が撮影する原稿台３０１の画像の画像処理を画像処理部１０４に行わせる。そして、Ｓ１０３で、制御部１０１は、画像切り替え部１０８に命令を送信し、表示部２０２の表示を撮影部５００からの画像に切り替える。図５の（Ｂ）には、撮影部５００が撮影した原稿台全域の画像を表示部２０２に表示した状態の一例を示す。図５の（Ｂ）の原稿４００１〜４００３は、種々の大きさの原稿を載置した状態を例示している。
【００３１】
次に、Ｓ１０４で、制御部１０１は、圧板１０００が閉じられたことを開閉検知部４０１からの検知信号に基づいて判断する。ここで、Ｓ１０４で、圧板１０００を閉じられたと制御部１０１判断した場合、制御部１０１は、表示部２０２に、図５の（Ａ）に示した操作画面を表示するように表示画面を切り替える（Ｓ１０８）。
【００３２】
一方、Ｓ１０４で、制御部１０１は、圧板１０００が閉められたと判断しなかった場合、Ｓ１０５に処理を進める。Ｓ１０５で、制御部１０１は、圧板１０００が閉められたと判断しない状態で、原稿位置センサ３０２からの検知信号に基づいて、原稿が載置基準位置Ｐから一定距離内に近づいているかどうかを判断する。
【００３３】
図６は、図１に示した原稿台３０１の平面図である。図６の（Ａ）は、原稿台３０１の原稿台ガラス２００１の下面側に配置される原稿位置センサ３０２を示す。
【００３４】
図６の（Ａ）に示すように、原稿位置センサ３０２はスキャナ部３００の原稿台３０１に設けられる原稿を載置する際の基準位置（載置基準位置Ｐ）に原稿が近づいてきたことを検知するため、原稿台ガラス２００１の左位置近傍に配置されている。なお、原稿位置センサ３０２は、原稿台ガラス２００１の下面側に配置されている。なお、原稿位置センサ３０２は、光センサや赤外線センサ等、検知することが可能であればセンサの種類は特に問わない。
【００３５】
次に、Ｓ１０５で、まだ原稿が載置基準位置Ｐから一定距離内に近づいていないと判断した場合、Ｓ１０３へ戻り、制御部１０１は、表示部２０２に原稿台３０１の画像を表示し続ける。
【００３６】
一方、Ｓ１０５で、原稿が載置基準位置Ｐから一定距離内に近づいたと判断した場合、Ｓ１０６に処理を進める。Ｓ１０６で、制御部１０１は、撮影部５００が撮影した載置基準位置Ｐの周辺画像を画像処理部１０４により拡大する画像処理を行う。これにより、載置基準位置Ｐの周辺画像に対する拡大画像が生成される。そして、Ｓ１０７で、制御部１０１は画像切り替え部１０８を制御して、載置基準位置Ｐの周辺の拡大画像を表示部２０２に表示する。図５の（Ｃ）は、載置基準位置Ｐの周辺の拡大画像を表示した状態の一例を示す。
【００３７】
これにより、例えばユーザが車椅子に座った状態では原稿台上の載置基準位置Ｐを視覚的に確認しづらい場合でも、原稿が載置基準位置Ｐから離れた状態から、載置基準位置Ｐに近づくにつれて、表示部２０２に表示される原稿の表示状態を切り替えることができる。つまり、当該ユーザは表示部２０２を見ながら、原稿が載置基準位置Ｐよりも離れた状態の場合は、原稿台ガラス２００１上における原稿の載置状態を広く確認することができる。さらに、当該ユーザが原稿を載置基準位置Ｐに近づけると、載置基準位置Ｐの周辺が自動的に拡大画像として表示部２０２に表示されるため、微細な原稿載置位置を表示部２０２の表示を確認しながら詳細に修正することができる。なお、ユーザが原稿台ガラスよりも目線位置が低いユーザであっても同様の効果が期待できる。
〔第２実施形態〕
【００３８】
上記第１実施形態では、原稿台が開けられた場合に、表示部に原稿台を撮影した画像を表示し、原稿が載置基準位置Ｐから一定距離まで近づいた場合に表示部の表示を載置基準位置Ｐの周辺の拡大表示を行う場合について説明した。第２実施形態では、原稿が載置基準位置Ｐから一定距離まで近づいた場合に、原稿台の画像と載置基準位置Ｐの周辺の拡大画像の両方を表示部上に表示する場合について説明する。
【００３９】
図７は、本実施形態を示す原稿読取装置の制御方法を説明するフローチャートである。本例は、特定のユーザが圧板１０００を開けて原稿を原稿台ガラスに載置して原稿を読み取らせる場合における原稿配置状態をガイド表示する制御に対応する。ここで、特定のユーザとしては、上述しているように車椅子等に座った状態で原稿読取装置を操作する場合であって、当該車椅子に座った状態におけるユーザの目線位置が当該原稿台よりも下面位置となってしまう場合を想定する。
【００４０】
なお、各ステップは、制御部１０１がメモリ１０２に記憶された制御プログラムを実行することにより実現される。以下、ユーザが複合機の圧板を開けた後、撮影部５００が原稿台３０１の全体を撮影して表示部２０２に表示する制御と、載置基準位置Ｐの周辺を拡大する表示と全体の表示とを並べて表示する制御について詳細に説明する。より具体的には、ユーザが原稿を原稿台３０１の載置基準位置から一定距離まで近づいた場合に表示部２０２に対して、載置基準位置Ｐの周辺を拡大した表示と、全体の表示とを並べて表示する制御について詳細に説明する。なお、載置基準位置は原稿台３０１の左上を例に挙げて説明する。また、図７におけるＳ１０１〜Ｓ１０６、Ｓ１０８は図４と同等の処理であるので説明を省略する。
【００４１】
図７に示すＳ１０５において、原稿が載置基準位置Ｐから一定距離まで近づいたと判断した場合、制御部１０１は、Ｓ１０６に処理を進める。Ｓ１０６で、制御部１０１は、撮影部５００が撮影した載置基準位置Ｐの周辺画像を画像処理部１０４により拡大する画像処理を行い、載置基準位置Ｐの周辺画像に対する拡大画像を生成する。そして、Ｓ２０１で、制御部１０１は、画像切り替え部１０８を制御して、原稿台ガラス全体を撮像した撮影画像と、載置基準位置Ｐの周辺の拡大画像とを並べた状態で表示部２０２に表示する。そして、制御部１０１は、Ｓ２０１の処理した後、Ｓ１０４に処理を進める。なお、原稿台ガラス全体を撮像した撮影画像と、載置基準位置Ｐの周辺の拡大画像との表示態様は、本実施形態に示すように並べて表示してもよいし、後述するように拡大画像を最前面の画像としてそれぞれの画像を重ね合わせるように表示してもよい。
【００４２】
表示部２０２における、原稿台の画像と拡大画像の表示の例を、図５の（Ｄ）、図５の（Ｅ）に示す。特に、図５の（Ｄ）は、並列して原稿台の画像と拡大画像の両方を表示した例である。また、図５の（Ｅ）
は、原稿台の画像と拡大画像を重ね合わせて表示した例である。なお、原稿台の画像と拡大画像の両者を確認できる表示であれば、本実施形態に示す表示態様に限定されることはなく、どのように表示しても良い。
【００４３】
本実施形態によれば、第１実施形態の効果に加えて、例えばユーザが車椅子に座った状態では原稿台上の載置基準位置Ｐを視覚的に確認しづらい場合でも、原稿が載置基準位置に近づいた際に全体と拡大画像の両方を確認しながら修正が可能になる。これにより、当該ユーザの原稿載置の際における原稿の視認性と操作性が向上する。
〔第３実施形態〕
【００４４】
第１実施形態では、圧板が開けられた場合に、表示部に原稿台を表示し、原稿が載置基準位置から一定の距離内に近づいた場合に表示部の表示を載置基準位置周辺の拡大表示を行う場合について説明した。本実施形態では、図３の（Ｄ）に示すように原稿台を撮影する第１の撮影手段と、載置基準位置Ｐの周辺を撮影する第２の撮影手段を備えている。以下、原稿が載置基準位置から一定の距離内に近づく前と、載置基準位置Ｐから一定の距離内に近づいた後とで表示を切り替える場合について説明する。
以下、本実施形態と第１実施形態との差異を説明する。
【００４５】
本実施形態では、図３の（Ｄ）に示すように原稿台ガラス２００１に原稿が載置される場合に、載置基準位置Ｐを含む全体を撮影する第１の撮影部５００−１と、載置基準位置Ｐの周辺を撮影する第２の撮影部５００−４が図示する位置に設けられている。
【００４６】
なお、第１の撮影部５００−１は原稿台全体を撮影し、第２の撮影部５００−４は、載置基準位置Ｐの周辺を撮影できる構成であれば、第１の撮影部５００−１と、第２の撮影部５００−４の設置場所は、これに限られるものではない。
【００４７】
図８は、本実施形態を示す原稿読取装置の制御方法を説明するフローチャートである。本例は、特定のユーザが圧板１０００を開けて原稿を原稿台ガラスに載置して原稿を読み取らせる場合における原稿配置状態をガイド表示する制御に対応する。ここで、特定のユーザとしては、上述しているように車椅子等に座った状態で原稿読取装置を操作する場合であって、当該車椅子に座った状態におけるユーザの目線位置が当該原稿台よりも下面位置となってしまう場合を想定する。
【００４８】
なお、各ステップは、制御部１０１がメモリ１０２に記憶された制御プログラムを実行することにより実現される。また、図７におけるＳ１０１〜Ｓ１０６、Ｓ１０８は図４と同等の処理であるので説明を省略する。
【００４９】
以下、ユーザが複合機の圧板を開けた後、撮影部５００―１が原稿台３０１の全体を撮影して表示部２０２に表示する制御を説明する。さらに、ユーザが原稿を原稿台３０１の載置基準位置から一定距離まで近づけた場合に、第２の撮影部５００−４が撮影した載置基準位置周辺を拡大表示する制御について詳細に説明する。
なお、載置基準位置は原稿台３０１の左上を例に挙げて説明する。また、図７におけるＳ１０１〜Ｓ１０６、Ｓ１０８は図４と同等の処理であるので説明を省略する。
【００５０】
まず、Ｓ１０２において、上記ユーザが圧板１０００を開けたと制御部１０１が判断した場合、制御部１０１は、Ｓ３０１に処理を進める。Ｓ３０１で、制御部１０１は、第１の撮影部５００−１が撮影する原稿台３０１全体の画像を、表示部２０２に表示する。そして、制御部１０１は、Ｓ３０１の処理を実行した後、Ｓ１０４に移行する。
【００５１】
次に、Ｓ１０５で、上記ユーザが操作する原稿が載置基準位置Ｐから一定の距離内に近づいたと判断した場合、制御部１０１は、Ｓ３０２に処理を進める。Ｓ３０２で、制御部１０１は画像切り替え部１０８を制御して、第２の撮影部５００−４が撮影する画像をそのまま表示部２０２に表示する。そして、制御部１０１は、Ｓ３０２の処理を実行した後、Ｓ１０４に処理を進める。
【００５２】
本実施形態によれば、第１実施形態に示す効果に加えて、第１の撮影部で原稿台上を全域の画像を撮影して表示する。そして、上記ユーザが操作する原稿が載置基準位置Ｐに近づけられた際には、画像処理部１０４による拡大画像処理を行わない。その代わりに、第２の撮影部５００−４が撮影する載置基準位置Ｐの周辺画像を確認しながら、原稿を載置基準位置Ｐに載置させる微細な配置修正を確実に行うことが可能となる。
〔第４実施形態〕
【００５３】
第１実施形態は、圧板が開けられた場合、原稿台ガラス上の全域を表示部に表示し、原稿位置センサ３０２を用いて原稿が載置基準位置Ｐから一定距離まで近づいたことを検出した場合に、載置基準位置Ｐの周辺を表示部に拡大表示を行う場合について説明した。本実施形態では、原稿位置センサ３０２を設けることなく、撮影部５００が撮影する原稿台の画像から載置基準位置を判定し、かつ、原稿が載置基準位置から一定距離まで近づいた画像を捉えて、載置基準位置周辺の拡大画像を表示する場合について説明する。
【００５４】
図９、本実施形態を示す原稿読取装置の制御方法を説明するフローチャートである。本例は、特定のユーザが圧板１０００を開けて原稿を原稿台ガラスに載置して原稿を読み取らせる場合における原稿配置状態をガイド表示する制御に対応する。ここで、特定のユーザとしては、上述しているように車椅子等に座った状態で原稿読取装置を操作する場合であって、当該車椅子に座った状態におけるユーザの目線位置が当該原稿台よりも下面位置となってしまう場合を想定する。
【００５５】
なお、各ステップは、制御部１０１がメモリ１０２に記憶された制御プログラムを実行することにより実現される。また、図７におけるＳ１０１〜Ｓ１０６、Ｓ１０８は図４と同等の処理であるので説明を省略する。
【００５６】
以下、ユーザが複合機の圧板が開けた後、撮影部５００が原稿台３０１の全体を撮影して表示部２０２に表示する制御について説明する。さらに、ユーザが原稿を原稿台３０１の載置基準位置から一定距離まで近づいたことを撮影部５００が撮影する画像の解析結果から判断できる場合に、載置基準位置Ｐの周辺を拡大表示する制御について詳細に説明する。
なお、載置基準位置は原稿台３０１の左上を例に挙げて説明する。また、図９におけるＳ１０１〜Ｓ１０６、Ｓ１０８は図４と同等の処理であるので説明を省略する。
【００５７】
図９に示すＳ１０４において、開閉検知部４０１からの検知信号に基づいて、圧板１０００が閉じられていないと判断した場合、制御部１０１は、撮影部５００で撮影する画像に対して画像処理部１０４に所定の画像解析処理を行わせる。そして、画像処理部１０４は、画像解析処理の結果から載置基準位置Ｐの画像と、載置される原稿の画像とを抽出する（Ｓ４０１）。
具体的には、制御部１０１は、撮影する画像から抽出される画像のパターンを解析して原稿台に載置される原稿を読み取るために設定された基準位置の近傍に読み取るべき原稿が存在するかどうかを判断する。
【００５８】
例えば、図６の（Ｂ）に示すように、原稿台ガラスの周辺には、原稿の位置合わせに関わるマーク２００３−１〜２００３−６があらかじめ記されている。そこで、マーク２００３−１〜２００３−６の画像の特徴パターンと、原稿のエッジパターンとを撮影された画像情報から定期的に抽出する。これにより、原稿位置センサ３０２を備えていなくても、原稿台ガラスに載置される原稿が載置基準位置に近づいているかどうかを制御部１０１が判断することが可能となる。
【００５９】
なお、図６の（Ｃ）は、載置基準位置Ｐのマーク２００３−６に代えて、原稿台ガラスの縁側に配置枠パターンを設けた例であって、撮影部５００が撮影する画像情報の中から、当該配置枠パターンの特徴を抽出することが可能となる。具体的には、載置基準位置Ｐとしての当該配置枠パターンの左上パターンと原稿のエッジパターンを抽出して、原稿が載置基準位置Ｐに近づいているか否かを制御部１０１が判断可能となる。
【００６０】
なお、原稿の抽出には、上述したエッジパターン以外にも、原稿の形状（四角など）を抽出したり、動いている画像を抽出したりして原稿の位置を特定することができる。したがって、原稿台ガラス上に載置される原稿の画像を抽出できる手法であれば、抽出方法が本例に限定されるものではない。
【００６１】
そして、制御部１０１は、Ｓ４０１を処理した後に、Ｓ１０５に移行し、図６の（Ｂ）あるいは図６の（Ｃ）で示されるような載置基準位置Ｐと原稿の位置との距離を算出して、一定距離まで近づいたかの判断を行う（Ｓ１０５）。なお、一定距離かどうかの基準は、あらかじめメモリ１０２に閾値として記憶されている。
【００６２】
本実施形態によれば、原稿位置検知センサを用いることなく、例えばユーザが車椅子に座った状態では原稿台上の載置基準位置Ｐを視覚的に確認しづらい場合でも、原稿が載置基準位置に近づいた際に全体と拡大画像の両方を確認しながら修正が可能になる。これにより、当該ユーザの原稿載置の際における原稿の視認性と操作性が向上する。
〔第５実施形態〕
【００６３】
上記第１実施形態では、上述したユーザが操作して圧板が開けられた場合に、表示部に原稿台を表示し、原稿が載置基準位置Ｐから一定距離まで近づいた場合に表示部の表示を載置基準位置Ｐの周辺の画像を拡大表示する場合について説明した。本実施形態では、図２の（Ｂ）に示したように、上述したユーザ等が操作部を傾斜させたことを検出した場合に限り、表示部へ原稿台の画像を表示する場合について説明する。
【００６４】
なお、本実施形態では、図２の（Ｂ）に示したように、操作部２００を本体の一方端を支点として回動すする機構を備え、かつ、ユーザが視認し易い傾斜位置で保持する機構を備えている。さらに、図１には操作部２００が上述したように傾斜された状態にあることを検知するための傾斜検知部２０１を備えている。
【００６５】
図１０は、本実施形態を示す原稿読取装置の制御方法を説明するフローチャートである。本例は、特定のユーザが圧板１０００を開けて原稿を原稿台ガラスに載置して原稿を読み取らせる場合における原稿配置状態をガイド表示する制御に対応する。ここで、特定のユーザとしては、上述しているように車椅子等に座った状態で原稿読取装置を操作する場合であって、当該車椅子に座った状態におけるユーザの目線位置が当該原稿台よりも下面位置となってしまう場合を想定する。
【００６６】
なお、各ステップは、制御部１０１がメモリ１０２に記憶された制御プログラムを実行することにより実現される。また、図１０におけるＳ１０１〜Ｓ１０８は図４と同等の処理であるので説明を省略する。
【００６７】
Ｓ１０１において、制御部１０１は表示部２０２に操作画面を表示する。その後、Ｓ５０１で、制御部１０１は、操作部２００が傾斜された状態であるかどうかを傾斜検知部２０１から出力される検知信号に基づいて判断する（Ｓ５０１）。なお、傾斜検知部２０１には光センサや閉まると自動的に押されるスイッチなど検知することが可能であれば方法は問わない。
【００６８】
Ｓ５０１において、操作部２００が傾斜されていると制御部１０１が判断した場合、Ｓ１０２へ移行する。そして、Ｓ１０２移行は、第１実施形態と同様の処理を行う。なお、Ｓ５０１において、制御部１０１が傾斜検知部２０１から出力される状態信号に基づいて、操作部２００が傾斜していると判断されるまでは、Ｓ１０１により、操作画面を表示部２０２に表示し続ける制御を実行する。
【００６９】
本実施形態によれば、操作部２００が傾斜されている場合、上述したユーザの目線が操作部２００の配置位置より低い可能性が高く、操作しながら原稿台を確認することが困難であると考えられるため、制御部１０１は原稿台を表示部２０２に表示する制御を行う。一方、操作部２００が傾斜されていない状態においては、ユーザの目線が操作部２００の配置位置よりも高い可能性が高いため、制御部１０１は、原稿台を表示部２０２に表示する制御を行うことなく、操作画面を表示部２０２に表示する制御を行う。このように、操作部２００の傾斜状態に適応して表示部２０２に表示する表示画面を切り替え制御することが可能となる。
【００７０】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００７１】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００７２】
１０１  制御部
１０４  画像処理部
【図１】
2013115727.tif 000003
【図２】
2013115727.tif 000004
【図３】
2013115727.tif 000005
【図４】
2013115727.tif 000006
【図５】
2013115727.tif 000007
【図６】
2013115727.tif 000008
【図７】
2013115727.tif 000009
【図８】
2013115727.tif 000010
【図９】
2013115727.tif 000011
【図１０】
2013115727.tif 000012